(57)【要約】【課題】重量が軽く、比強度、比剛性及び撓み性に優れた釣糸ガイドを提供する。【解決手段】本発明に係る釣糸ガイド１は、釣竿に装着される固定部５と、釣糸が挿通されるガイドリング６が取り付けられたリング保持部７と、リング保持部７と固定部５との間を連結する支脚部８とを具備したフレーム３を有する。フレーム３は、強化繊維に合成樹脂を含浸した繊維強化プリプレグを積層した複数の繊維強化樹脂層からなる。【選択図】図１
2010233519.tif 000002
【特許請求の範囲】
【請求項１】
釣竿に装着される固定部と、釣糸が挿通されるガイドリングが取り付けられたリング保持部と、前記リング保持部と固定部との間を連結する支脚部と、を具備したフレームを有する釣糸ガイドであって、
前記フレームは、強化繊維に合成樹脂を含浸した繊維強化プリプレグを積層した複数の繊維強化樹脂層からなることを特徴とする釣糸ガイド。
【請求項２】
前記フレームは、前記強化繊維が三方向以上の多方向に積層されて成ることを特徴とする請求項１に記載の釣糸ガイド。
【請求項３】
前記フレームは、前記固定部から前記リング保持部へと向かうその長手方向に指向する強化繊維の量よりも前記長手方向に対して角度を有する交差方向に指向する強化繊維の量を多く配設して成ることを特徴とする請求項１に記載の釣糸ガイド。
【請求項４】
前記フレームは、該フレームの厚さ方向における中間位置となる中立軸エリアに、強化繊維を軸長方向に配設し、前記中立軸エリアの外側に、強化繊維を軸長方向に対して交差する方向に配設し、最外層に強化繊維を編成した織布層を配設して成ることを特徴とする請求項１から３のいずれか１項に記載の釣糸ガイド。
【請求項５】
前記フレームは、該フレームの厚さ方向における中間位置となる中立軸エリアに配設されるプリプレグの厚さよりも最外層に配設されるプリプレグの厚さの方が薄いことを特徴とする請求項１から４のいずれか１項に記載の釣糸ガイド。
【請求項６】
前記フレームには、前記固定部と前記支脚部との間又は前記支脚部に屈曲部が形成されていることを特徴とする請求項１から５のいずれか１項に記載の釣糸ガイド。
【請求項７】
前記フレームが平板状に構成され、前記フレームの前記固定部に開口が設けられていることを特徴とする請求項１から６のいずれか１項に記載の釣糸ガイド。
【発明の詳細な説明】
【技術分野】
【０００１】
本発明は、釣竿に装着されて釣糸を案内する釣糸ガイドに関し、詳細には、釣糸が挿通されるガイドリングを保持するフレーム部分に特徴を有する釣糸ガイドに関する。
【背景技術】
【０００２】
従来、上記した釣糸ガイドは、釣竿の外周面に装着されるフレームと、フレームに止着され、実際に釣糸が挿通されるガイドリングとを備えた構成となっている。前記フレームは、例えば、特許文献１に記載されているように、ステンレスやチタン等の金属製の板材料をプレス加工することで一体形成するのが一般的となっており、フレームには、釣糸を挿通させるガイドリングを保持するためのリング保持部と、釣竿の外表面に装着するための固定部が一体形成されている。
【先行技術文献】
【特許文献】
【０００３】
【特許文献１】特開２００６−３４０６６１号
【発明の概要】
【発明が解決しようとする課題】
【０００４】
上記した公知技術では、フレームが金属材料で構成されているため、重量が重く、比強度、比剛性、撓み性等の性能が悪く、釣竿の性能の向上を図る上でネックとなっている。例えば、より軽量化が要求される釣竿では、上記したような釣糸ガイドを軸長方向に沿って多数装着すると、所望の性能が発揮できなくなってしまう。
【０００５】
本発明は、上記した問題に着目してなされたものであり、重量が軽く、比強度、比剛性及び撓み性に優れた釣糸ガイドを提供することを目的とする。
【課題を解決するための手段】
【０００６】
上記した目的を達成するために、本発明に係る釣糸ガイドは、釣竿に装着される固定部と、釣糸が挿通されるガイドリングが取り付けられたリング保持部と、前記リング保持部と固定部との間を連結する支脚部と、を具備したフレームを有する釣糸ガイドであって、前記フレームが、強化繊維に合成樹脂を含浸した繊維強化プリプレグを積層した複数の繊維強化樹脂層からなることを特徴とする。
【０００７】
上記したように、本発明に係る釣糸ガイドは、そのフレーム部分が繊維強化プリプレグによって形成されるため、軽量化を図ることが可能となる。
【発明の効果】
【０００８】
本発明によれば、重量が軽く、比強度、比剛性及び撓み性に優れた釣糸ガイドが得られる。
【図面の簡単な説明】
【０００９】
【図１】本発明に係る釣糸ガイドの一構成例を示す縦断面図。
【図２】図１を矢印Ａ方向から見た図。
【図３】釣糸ガイドを釣竿（竿管）に装着した状態を示す図。
【図４】釣糸ガイドを構成するフレームを成形する金型の構成例を示す図。
【図５】フレーム部分におけるプリプレグの積層構造を示す図。
【図６】金型で成形された板状体からフレームを切り出す状態を示す図。
【図７】フレームの固定部領域を拡大した断面図。
【図８】フレームの支脚部における繊維の配列状態を示す図。
【図９】釣糸ガイドの別の実施形態を示す図。
【発明を実施するための形態】
【００１０】
以下、図面を参照しながら、本発明に係る釣糸ガイドの実施形態について説明する。
最初に、図１から図３を参照して、本発明に係る釣糸ガイドの一構成例について説明する。これらの図において、図１は、釣糸ガイドの縦断面図であり、図２は、図１を矢印Ａ方向から見た図、そして、図３は、釣糸ガイドを釣竿（竿管）に装着した状態を示す図である。なお、図１において、矢印Ａ方向は、釣糸ガイドが釣竿に装着された際、釣竿の軸長方向と一致しており、図３は、元竿側から穂先竿側を見た図となっている。
【００１１】
釣糸ガイド１は、強化繊維に合成樹脂を含浸した繊維強化プリプレグ（以下、プリプレグと称する）によって形成されたフレーム３を備えている（プリプレグの構成、及びフレームの詳細な製造方法については後述する）。このフレーム３は、釣竿（竿管）４０の外表面に装着される固定部５と、釣糸が挿通されるガイドリング６が取り付けられるリング保持部７と、リング保持部７と固定部５との間を連結する支脚部８とを具備している。
【００１２】
前記固定部５は、フレームの下端において、釣竿の表面に固定される部位（足部とも称される）であり、本実施形態では軸長方向に延び、その裏側の当接面５ａが釣竿の表面に載置した状態で、糸止め、接着等によって固定される。なお、固定部５は１本足や２本足など、様々な形状をとることができる。
【００１３】
前記リング保持部７は、釣竿の表面から離間した状態で釣糸を案内させるべく、ガイドリング６を止着させる部位である。リング保持部７には、ガイドリング６を嵌入、固定させるための開口７ａが形成されており、全体として略円形の外形状を備えている。なお、開口７ａに嵌入されるガイドリング６は、リング状に構成され、その内周面である釣糸案内面６ａ部分での摺動抵抗が小さい部材、例えば、チタン、アルミ、ＳＵＳ、セラミックス等によって形成されている。このガイドリング６は、フレーム３が前記プリプレグによって一体形成された後、リング保持部７の開口７ａに対して嵌入、固定される。
【００１４】
また、前記支脚部８は、ガイドリング６を釣竿の表面から離間させるように、固定部５とリング保持部７とを連結する部位である。
【００１５】
前記フレーム３には、少なくとも１つ以上の屈曲部が形成されている。本実施形態では、固定部５と支脚部８との間の境界部分に第１屈曲部１０ａが形成されており、さらに、支脚部８のリング保持部７側に、第１屈曲部よりも緩やかに屈曲した第２屈曲部１０ｂが形成されている。この場合、前記境界部分は、実際に釣竿の外表面に対して固定状態となる固定部５の端部から、リング保持部７に向けて立ち上がる領域が該当する。
【００１６】
フレーム３に上記したような屈曲部を形成する場合、特に、支脚部８に第２屈曲部１０ｂを形成しておくことで、フレーム全体として、屈曲させることによる曲げ角度を段階的に設定することが可能となり、応力集中を分散させて強度を向上することが可能となる。また、上記のようにフレーム３に複数の屈曲部１０ａ，１０ｂを形成するのであれば、固定部５と支脚部８との間の境界部分、又はその近傍に形成される屈曲部（図において、第１屈曲部１０ａが対応する）よりも、支脚部８に形成される屈曲部（図において、第２屈曲部１０ｂが対応する）の屈曲角度を小さく設定することが好ましい。具体的には、固定部５と支脚部８との間の境界部分、又はその近傍に形成される屈曲部の屈曲角度θ１は、３０〜９０度の範囲とし、支脚部８に形成される屈曲部の屈曲角度θ２は、それよりも小さい角度（θ１＞θ２）で０〜４５度の範囲とし、両角度を合わせたときに３０度以上、１００度以下にすることが好ましい。
【００１７】
なお、図１に示すように、屈曲角度は、屈曲した部分の前後において、接線同士が交差する角度によって定義される。上記したように、フレームに２つの屈曲部１０ａ，１０ｂを形成した場合、その角度の関係は、上記のように設定されることが好ましい。また、固定部５とリング保持部７との間の屈曲角度（固定部５の下面接線とリング保持部７との交差する角度）θ３については、３０〜１００度の範囲で設定されることが好ましい。さらに、上記した支脚部８については、２つの屈曲部１０ａ，１０ｂ間は直線状に形成されていたが、２つの屈曲部１０ａ，１０ｂ間を、所定の曲面を有する湾曲状に形成しても良いし、支脚部全体を湾曲面で構成しても良い。
【００１８】
このような角度関係となるように屈曲部を形成しておくことで、特定屈曲部への応力集中を防止でき、強度の安定化が図れる。
【００１９】
なお、上記したようなフレームに形成される屈曲部１０ａ，１０ｂは、応力集中して破損等し易い領域となっているが、後述するような製造方法、及びプリプレグの構成を用いることで、比強度、及び比剛性の向上が図られている。
【００２０】
また、前記フレーム３は、後述するように、予め上記したような構成の屈曲部を形成した状態のプリプレグ（加熱成形後は板状体となっている）から、プレス加工等によって形成されるが、この際、所定の外形を有するように形成される。本実施形態では、図２に示すように、フレーム３は、固定部５の端部から第１屈曲部１０ａを介して立ち上がる支脚部８は、上方に移行するに従って次第に幅広となっており、ガイドリング６が取着される開口７ａが形成された略円形のリング保持部７に一体的に連結される。この場合、図に示すように、支脚部８には、軽量化を図るために、開口（肉抜き）８ａを形成しておいても良い。
【００２１】
次に、上記したような形態のフレーム３を形成する方法について、図４から図６を参照しながら説明する。なお、最初に、全体的な製造工程について説明し、次に、プリプレグの積層状態、及び積層されるプリプレグの強化繊維の配列状態について説明する。
【００２２】
上記したように、フレーム３は、強化繊維に合成樹脂を含浸したプリプレグによって形成される。この場合、プリプレグは、例えば、炭素繊維やガラス繊維などの強化繊維が所定の方向に引き揃えられた状態、或いは編成されたシート状に構成されており、熱硬化性樹脂（例えば、エポキシ樹脂）や熱可塑性樹脂（例えば、ナイロン）をマトリックス樹脂として含浸した構成となっている。
【００２３】
最初、上記したようなプリプレグを所定形状に裁断し、これを複数層となるように重ね合わせる。重ね合わせるプリプレグの枚数（層数）や、個々のプリプレグの構成については特に限定されることはないが、上記したように、フレーム３に屈曲部１０ａ，１０ｂを形成すること、使用時においてフレーム３には負荷が加わること、装着される釣竿の特性や装着部分等を考慮し、プリプレグの種類や重ねる条件が任意に調整される。
【００２４】
このように積層されるプリプレグは、図４に示すような金型５０にセットされる。本実施形態の金型５０は、上下に型割りされる上型５１と下型５２によって構成されており、積層されたプリプレグ（符号２０で示されている）は、下型５２の所定位置にセットされる。上型５１と下型５２との間には、積層されたプリプレグ２０がセットされる位置に応じて空洞部５０ａが形成されており、その表面領域には、離型剤がコーティングされている。
【００２５】
上記金型５０を構成する上型５１は凹状、下型５２は凸状に構成されており、両者を押圧した際にフレーム３が形成されるように、両者の間に前記空洞部（この空洞部については、フレーム３の肉厚に対応している）５０ａが形成されている。そして、下型５２には、前記シート状に積層されたプリプレグ２０を載置した際、上記した屈曲部１０ａ，１０ｂに対応する位置に、屈曲形成凸部５２ａ，５２ｂが形成され、上型５１には、屈曲形成凸部５２ａ，５２ｂに対応して屈曲形成凹部５１ａ，５１ｂが形成されている。
【００２６】
なお、前記プリプレグ２０は、一度に全体を重ね合わせた状態で下型にセットしても良いし、１枚ずつセットする等、複数回に分けて積層しても良い。このように複数回に分けることにより、強化繊維の動きを少なくして、精度良く下型５２の所定位置にセットすることもできる。本実施形態では、上記のように、金型５０を上下割りにしているため、プリプレグ２０は下型５２に載置して、金型の形状に合わせて所定形状に保持する。もちろん、金型については、一例を示したに過ぎず、型割りの方向については、左右方向としたり、傾斜方向にする等、任意の形態にすることが可能である。
【００２７】
そして、プリプレグを下型５２にセットした後、載置されたプリプレグ２０を加圧し固定する。この加圧、固定については、上型５１によって締め付けしても良いし、手や押圧具で押し付けても良い。この段階で、前記屈曲部を含め、成形後のフレーム形状に相当する形が保持され、これにより、成形後の内部残留応力の発生を防止でき、強度の向上、及び安定化が図れるようになる（この段階では、プリプレグは未硬化状態（仮キュア後を含む）であり、屈曲部は加熱硬化前に形成されることとなる）。
【００２８】
その後、加熱工程を施し、マトリックス樹脂を硬化して成形した後、成形品（屈曲部を有する板状体３０となっている）を金型５０から取り出す。
【００２９】
なお、上記した屈曲部を金型５０で押えて加熱硬化するときに、その屈曲部は、その前後の領域よりも相対的に強く加圧することが好ましい。このように、屈曲部の領域を強く加圧することで、成形されたフレームの屈曲部（１０ａ，１０ｂ）のボイドを防止することができ、強度の向上、及び安定化が図れるようになる。また、これに伴い、成形されたフレーム３の屈曲部１０ａ，１０ｂは、その前後の領域（固定部や支脚部）よりも繊維比率を高くすることができるので、破損等しやすい屈曲部を強化することが可能となる。
【００３０】
次に、板状体３０から所定の形状となるようにフレームを切り出す。上記したように、プリプレグは、加熱硬化処理後に屈曲部が形成された板状体となっているため、プレス加工による切り出し、液体（ウォータージェット等）による切り出し、或いは刃具（エンドミル等）による切り出し等、任意の方法を採用することで、図６に示すように、１枚の板状体３０から複数のフレーム３を切り出すことが可能となり、軽量で高強度の釣糸ガイドを効率良く製造することが可能となる。
【００３１】
なお、この加工時において、フレーム３の基本的な外形状、すなわち、開口７ａを有するリング保持部７、開口８ａを有する支脚部８等を同時に形成することが好ましいが、これらを別々の工程で形成しても良い。また、前記板状体３０に関しては、一枚の単純な平面形状に限らず、積層厚さを位置によって変化させたり、板状部分が複数方向に延びる形状（Ｔ字形状や逆Ｙ字形状等）としたり、曲面形状を含んでいたり、更には、複数の板状の部分が組み合わされていても良い。
【００３２】
次に、必要に応じて細部加工を施す。この細部加工は、例えば、固定部５の形状を釣竿に載置し易いように曲面状に形成したり、糸巻き・糸止めし易いように、固定部の端部を研磨等することが該当する。
【００３３】
次に、フレームの表面処理を施す。例えば、バレル加工を施すことで、表面のバリを除去すると共に、表面の光沢が得られる程度に仕上げ研磨を施す。この研磨の程度については、釣糸ガイドのサイズや形状、材質特性などによって研磨剤や研磨時間などを任意に調整することが可能である。このようなバレル加工を施すことにより、強化繊維を切断することなく、フレームを研磨することが可能となり、強度の安定化が図れると共に、外観の優れた釣糸ガイドとすることが可能となる。
【００３４】
なお、このような研磨工程を施すに際しては、フレームの表面に強化繊維が一部露出しマトリックス樹脂が一部残るように研磨することが好ましい。こうすることで、研磨表面の光沢をより一層向上することが可能となる。
【００３５】
次に、必要に応じて、フレームの全体又は一部分に被膜を形成する。例えば、外観向上やフレーム本体の保護のために塗装を行なうことや、金属やセラミックスを蒸着等することも可能である。
【００３６】
そして、上記したように形成されたフレームの開口７ａの部分にガイドリング６を取り付ける。ガイドリングの取り付け方法は、圧入や接着、カーリング、その他、任意の固定方法を採用することが可能である。
【００３７】
次に、上記したようなプリプレグによってフレーム３を形成するに際して、そのプリプレグの好ましい配置態様等について説明する。
【００３８】
本実施形態のフレーム３は、強化繊維に合成樹脂を含浸したプリプレグを積層した複数の繊維強化樹脂層から構成されている。本実施形態では、図５に示すように、釣竿の軸長方向に沿って強化繊維を引き揃えた軸長方向繊維樹脂層２１と、釣竿の軸長方向に対して所定の角度を有する交差方向に強化繊維を引き揃えた斜向繊維樹脂層２２ａ，２２ｂと、強化繊維を編成した織布層２３と、を有している。
【００３９】
具体的には、本実施形態では、フレームの厚さの中間位置となる中立軸エリア（図６において、中立軸をＸで示す）に、強化繊維を軸長方向に引き揃えたプリプレグによって軸長方向繊維樹脂層２１が配設され、その外側（両側）に、軸長方向に対して所定の角度（傾斜角度は任意であるが１５〜７５度が好ましく、より好ましくは３０〜６０度）に強化繊維を引き揃えたプリプレグによって斜向繊維樹脂層２２ａ，２２ｂが配設され、さらに、最外層（両側の全面となっているが部分的に最外となる領域でも良い）に強化繊維を編成したプリプレグによって織布層２３が配設されている。なお、前記軸長方向繊維樹脂層２１は、複数層（１層〜４層）あっても良い。また、前記斜向繊維樹脂層２２ａ，２２ｂについては、夫々の層における強化繊維の指向方向は異なっていても良い。
【００４０】
このように、繊維強化樹脂製の釣糸ガイドを形成するに際しては、フレーム自体を平面視した際、少なくとも三方向に強化繊維が指向した状態となるようなプリプレグを選択し、積層することが好ましい。すなわち、強化繊維の指向方向を三方向以上とすることで、効率良く、軽量で強度的に優れた釣糸ガイドを形成することが可能となるとともに、フレームの幅を小さくしても優れた強度を得ることができる。また、このように、フレーム３が、中立軸エリアに強化繊維を軸長方向に配設し、中立軸エリアの外側に強化繊維を軸長方向に対して交差する方向に配設し、最外層に強化繊維を編成した織布層２３を配設して成ることにより、大撓みしても破断や破損などが生じることなく、強度の向上及び安定化した釣糸ガイド１を実現できるとともに、効率良く軽量化を図ることができる。
【００４１】
また、本構成において、フレーム３は、固定部５からリング保持部７へと向かうその長手方向に指向する強化繊維（長方向繊維樹脂層２１の強化繊維）の量よりも前記長手方向に対して角度を有する交差方向に指向する強化繊維（斜向繊維樹脂層２２ａ，２２ｂの強化繊維）の量を多く配設して成ることが好ましい。これによれば、釣糸ガイド１が大撓みして図１の矢印方向の大きな負荷によってフレーム３が撓んでも破損し難い釣糸ガイドにすることが可能となる。
【００４２】
また、本構成において、フレーム３は、前記中立軸エリアに配設されるプリプレグ（長方向繊維樹脂層２１）の厚さよりも最外層に配設されるプリプレグ（織布層２３）の厚さの方が薄くなっている。このようにすれば、比強度が向上して、端部からの強化繊維の剥離を防止することができ、また、大撓みが可能になる。
【００４３】
また、上記したプリプレグの配置構成のように、フレーム３の最外層には、織布層２３を配設することが好ましい。これは、フレーム３の表面は、他物が当たり易く、剥離などし易い部分であること、及び、実釣時において、釣糸の張力によってフレームが撓む等、フレーム端部から強化繊維が剥離したり、破損する可能性があることから、この表面領域に強化繊維が編成された織布層を配設しておくことで、強化繊維の裂けや剥離が効果的に防止でき、強度の向上、及び安定化が図れるようになる。
【００４４】
また、このような織布層２３については、図８に示すように、強化繊維を編成した主たる繊維の網目の幅ｗ（通常、強化繊維は、多数本が束ねられた状態で繊維束を構成しており、この繊維束が編成されて織布状に構成されるため、網目は繊維束の幅で特定される）が、フレーム３の支脚部８の幅Ｗ（ここでの幅は最小となる部位の幅が該当する）よりも小さくなるものを用いることが好ましい。
【００４５】
このような織布層２３を配設することで、より確実に強化繊維が剥離、破損することを防止でき、強度の向上、及び安定化が図れるようになる。また、屈曲部１０ａ，１０ｂについても相対的に強化することができ、軽量で強度バランスに優れた釣糸ガイドとすることが可能となる。もちろん、上記した織布層２３の網目の幅については、固定部５やリング保持部７の領域においても、同様にそれらの部分での最小幅よりも小さくすることが好ましい。
【００４６】
なお、図８に示した実施形態では、織布の編目の方向が、軸長方向ＡＸに沿っているが、これを長軸方向ＡＸに対して４５度±１５度、または４５度±３０度、傾斜させることが好ましい。このように傾斜させることで、強化繊維の破断や剥離を防止することができる。また、層全体を、上記したような織布層によって構成しても良い。
【００４７】
また、上記した構成のように、フレーム３の中間層領域には、軸長方向繊維樹脂層２１を配設することが好ましい。これにより、フレーム３に対し、軸長方向に沿って釣糸の張力等によって撓み力が作用しても、その方向の比剛性を、軽量化を図りながら効率良く高めておくことが可能となる。
【００４８】
また、屈曲部１０ａ，１０ｂについては、その前後の領域よりも繊維比率を高くしておくことが好ましい。例えば、上記した工程で説明したように、加熱成形時に屈曲部の領域の押圧力を高くすることで、樹脂が流出して屈曲部の繊維比率を高くすることが可能であり、このように構成することで、負荷が作用してフレームが撓んでも破損し難い釣糸ガイドにすることが可能となる。
【００４９】
なお、屈曲部の繊維比率を高くすることに代えて、図７に示すように、屈曲部における肉厚Ｔを、固定部５における肉厚Ｔ１や支脚部８の肉厚Ｔ２よりも厚く形成しても良い。このように、屈曲部を、他の領域よりも厚肉化しておくことで、屈曲部での破損を効果的に防止することが可能となる。もちろん、肉厚を厚くすると共に、上述したように繊維比率を高くすることが好ましい。
【００５０】
また、屈曲部については、厚さ方向の中立軸部位の合成樹脂含浸量よりも、屈曲部の内側の外層部位（図７において、屈曲部１０ａの符号Ｐで示す側）の合成樹脂含浸量を多くしておくことが好ましい。
【００５１】
上記したように、フレーム部分には、釣糸による張力が作用した際、図７の矢印方向に大きな負荷が作用することが多いため、屈曲部の内側の外層部位（Ｐで示す側）から破損等が生じ易い。このため、そのような領域側の樹脂含浸量を多くしておくことで、負荷によってフレームが撓んでも破損し難い釣糸ガイドにすることが可能となる。
【００５２】
上記したような製造方法によって形成される釣糸ガイドによれば、金属製のものと比較して、重量が軽くなり、更には、比強度、比剛性、及び撓み性に優れた構成とすることが可能となる。このため、そのような釣糸ガイドを多数個装着しても釣竿全体が重量化することはなく、釣竿の性能が向上する。特に、穂先竿のような部分では、より軽量化が図れることから、繊細な当たりを感知し易くなり、より釣竿の性能の向上を図ることが可能となる。
【００５３】
以上、本発明の実施形態について説明したが、本発明は、上記した構成に限定されることはなく、種々変形することが可能である。
【００５４】
本発明は、釣糸ガイドを構成するフレーム部分を、繊維強化プリプレグで構成すると共に、比強度、比剛性等を高め、特に、屈曲部の領域で破損等が生じないように、上述したようなプリプレグの配置態様を用いたことに特徴がある。上記したフレームを構成するプリプレグについては、強化繊維の種類や弾性率、樹脂含浸量、肉厚などの構成、及び積層状態等については、実施形態に限定されることはなく、種々変形することが可能である。
【００５５】
また、釣糸ガイドは、釣竿に対して糸止め等によって固定される構成を説明したが、例えば、釣竿に対して摺動可能に外嵌される遊動ガイドとして構成されていても良い。このような遊動ガイドであれば、上記したフレーム３に屈曲部を形成しない構成であっても良い。すなわち、図９に示すように、フレーム３Ａは平板状に構成されており、一端側に、固定部５Ａとして、開口５ｄが形成され（開口５ｄが固定部５Ａに設けられている）、他端側に、リング保持部７Ａとして、ガイドリングが固定できる開口７ｃが形成されている。また、固定部５Ａとリング保持部７Ａとを連結する支脚部８Ａには、必要に応じて肉抜き８ｃが形成される。そして、開口５ｄには摺動固定リング５ｃが装着され、摺動固定リング５ｃが装着された開口５ｄに図示しない筒状体を固定することにより、この筒状体の内側面に形成される凹凸条の部分と釣竿の竿杆とが係合される。
【００５６】
このように、釣竿の装着位置に応じて、フレームには屈曲部を形成しない構成であっても良く、このような釣糸ガイドを構成するフレームに用いられるプリプレグについては、織布層の単層構造にしても良い。もちろん、上述したような積層構造としても良く、別途、屈曲部を形成しても良い。或いは、摺動固定リング５ｃが装着される部分（符号５Ｄで示す領域）については、リング保持部７Ａよりも厚く形成しているが、全体として同じ肉厚にしても良く、厚さや形状については任意に設定することが可能である。
【００５７】
また、上記したように、フレームを構成するプリプレグは、積層した状態において、平面視した際に強化繊維の指向方向が三方向以上となっていれば、軽量化を図りつつ、効率的に強度を向上することが可能となるが、各層を構成するプリプレグの強化繊維の指向方向や、その積層位置については特に限定されることはなく、適宜変形することが可能である。この場合、上述したように、フレームの最外層については、破損などが効果的に防止できるように、織布層を配設しておくことが好ましい。
【符号の説明】
【００５８】
１  釣糸ガイド
３  フレーム
５  固定部
６  ガイドリング
７  リング保持部
８  支脚部
１０ａ，１０ｂ  屈曲部
２０  プリプレグ
２１  軸長方向繊維樹脂層
２２ａ，２２ｂ  斜向繊維樹脂層
２３  織布層
３０  板状体
５０  金型
【図１】
2010233519.tif 000003
【図２】
2010233519.tif 000004
【図３】
2010233519.tif 000005
【図４】
2010233519.tif 000006
【図５】
2010233519.tif 000007
【図６】
2010233519.tif 000008
【図７】
2010233519.tif 000009
【図８】
2010233519.tif 000010
【図９】
2010233519.tif 000011